(57)【要約】【課題】  放熱性が向上した照明器具を提供する。【解決手段】  照明器具は、光源としてＬＥＤを備えた光源ブロックＬと、該光源ブロックＬを点灯させる点灯装置５と、放熱性を有するとともに光源ブロックＬが下面部に点灯装置５が上面部に取り付けられる取付板２と、取付板２の上面側に配置されて外部電源の電源線が接続されるとともに、一端が点灯装置５に接続された電源線Ｓ２が接続される端子台と、光源ブロックＬ、点灯装置５、取付板２、及び端子台を収納し、下面側に光源ブロックＬからの光を外方へ出射する開口１ｆを有する器具本体１とを具備し、器具本体１に、下面側から取付板２が着脱自在に取り付けられる放熱性を有する取付部１１を備える。【選択図】図１
2006172895.tif 000002
【特許請求の範囲】
【請求項１】
光源として発光ダイオードを備えた光源ブロックと、該光源ブロックを点灯させる点灯装置と、放熱性を有するとともに光源ブロックが一面部に点灯装置が他面部に取り付けられる取付板と、取付板の他面側に配置されて外部電源の電源線が接続されるとともに、一端が点灯装置に接続された電力供給線が接続される端子台と、光源ブロック、点灯装置、取付板、及び端子台を収納し、一面側に光源ブロックからの光を外方へ出射する開口を有する器具本体とを具備し、器具本体に、一面側から取付板が着脱自在に取り付けられる放熱性を有する取付部を設けていることを特徴とする照明器具。
【請求項２】
取付部と取付板とは面接触していることを特徴とする請求項１に記載の照明器具。
【請求項３】
器具本体は、筒状の側壁部と、該側壁部の他面側の開口を閉塞する天板部とを備えた形状に形成され、取付部は、器具本体の天板部から側壁部に沿って垂設されるとともに側壁部と熱伝導シートを介して接触していることを特徴とする請求項１又は請求項２に記載の照明器具。
【請求項４】
取付板は取付部に設けられた係止部が挿通される係止孔を備え、係止孔は係止部の先部より大径の大径部と係止部の先部より小径の小径部とを連続させた形状に形成されるとともに、大径部の中心位置より小径部の中心位置が取付板の外方に位置するように形成されていることを特徴とする請求項３に記載の照明器具。
【請求項５】
外部電源の電源線が接続される端子台を取付板に近接するように器具本体内に収納し、取付板は、取付板が器具本体から脱落することを防止する脱落防止手段によって前記端子台の近傍に連結されていることを特徴とする請求項１乃至４のいずれか１項に記載の照明器具。
【請求項６】
光源ブロックと器具本体との間に、光源ブロックを把持する把持用スペースを設けていることを特徴とする請求項１乃至５のいずれか１項に記載の照明器具。
【請求項７】
取付板に放熱用のフィンを設けたことを特徴とする請求項１乃至６のいずれか１項に記載の照明器具。
【発明の詳細な説明】
【技術分野】
【０００１】
本発明は、照明器具に関するものである。
【背景技術】
【０００２】
従来から、器具本体内に固定された支持板の下面側に、発光ダイオードが実装されたプリント基板を放熱ゴム等の放熱板を介してねじ止めするとともに、器具本体内においてこの支持板の上方に発光ダイオードの電源基板が固定された照明器具が提供されている（特許文献１）。
【特許文献１】特開２００１−３２５８１０号公報（第１図）
【発明の開示】
【発明が解決しようとする課題】
【０００３】
しかしながら、上記の照明器具では、発光ダイオードが実装されたプリント基板に放熱板を設けているだけであるから、発光ダイオードの熱を放熱板から放熱することはできても、放熱板に伝熱された熱の器具本体外への放熱性が悪いため、結果として十分な放熱性を得ることができなかった。
【０００４】
本発明は上記事情に鑑みて為されたものであり、その目的とするところは、放熱性が向上した照明器具を提供することにある。
【課題を解決するための手段】
【０００５】
上述の課題を解決するために、請求項１の発明では、光源として発光ダイオードを備えた光源ブロックと、該光源ブロックを点灯させる点灯装置と、放熱性を有するとともに光源ブロックが一面部に点灯装置が他面部に取り付けられる取付板と、取付板の他面側に配置されて外部電源の電源線が接続されるとともに、一端が点灯装置に接続された電力供給線が接続される端子台と、光源ブロック、点灯装置、取付板、及び端子台を収納し、一面側に光源ブロックからの光を外方へ出射する開口を有する器具本体とを具備し、器具本体に、一面側から取付板が着脱自在に取り付けられる放熱性を有する取付部を設けていることを特徴とする照明器具とした。
【０００６】
請求項１の発明によれば、放熱性を有する取付板に光源ブロックを取り付けているので、光源ブロックで発生した熱を取付板から放熱でき、加えて、放熱性を有する取付部を用いて取付板を器具本体に取り付けているので、取付部を介して取付板から器具本体に光源ブロックの熱が効率良く伝熱され、これにより放熱性を向上することができる。また、器具本体の取付部に着脱自在に取り付けられる取付板に、光源ブロックと点灯装置とを取り付けているので、取付板の着脱によって光源ブロック及び点灯装置と器具本体との着脱を行うことができ、しかも取付板を器具本体から取り外せば、端子台への電源線等の着脱作業及び端子台の着脱作業が行えるようになるから、部品交換も容易に行うことができる。
【０００７】
請求項２の発明では、請求項１の発明の構成に加えて、取付部と取付板とは面接触していることを特徴とする照明器具とした。
【０００８】
請求項２の発明によれば、取付部と取付板との間の伝熱性が向上し、これにより放熱性をさらに向上することができる。
【０００９】
請求項３の発明では、請求項１又は請求項２の発明の構成に加えて、器具本体は、筒状の側壁部と、該側壁部の他面側の開口を閉塞する天板部とを備えた形状に形成され、取付部は、器具本体の天板部から側壁部に沿って垂設されるとともに側壁部と熱伝導シートを介して接触していることを特徴とする照明器具とした。
【００１０】
請求項３の発明によれば、取付部と器具本体とを熱伝導シートを介して接触させているので、取付部と器具本体との間の伝熱性が向上し、これにより放熱性をさらに向上することができる。
【００１１】
請求項４の発明では、請求項３の発明の構成に加えて、取付板は取付部に設けられた係止部が挿通される係止孔を備え、係止孔は係止部の先部より大径の大径部と係止部の先部より小径の小径部とを連続させた形状に形成されるとともに、大径部の中心位置より小径部の中心位置が取付板の外方に位置するように形成されていることを特徴とする照明器具とした。
【００１２】
請求項４の発明によれば、取付板を取付部に取り付けた際に、取付部の係止部が大径部から小径部へ移動することによって取付部が器具本体の側壁部側へ誘導され、これに伴なって、取付部と側壁部とが熱伝導シートを介してより密に接触するから、取付部と器具本体との間の伝熱性が向上し、これにより放熱性をさらに向上することができる。
【００１３】
請求項５の発明では、請求項１乃至４のいずれか１項の発明の構成に加えて、外部電源の電源線が接続される端子台を取付板に近接するように器具本体内に収納し、取付板は、取付板が器具本体から脱落することを防止する脱落防止手段によって前記端子台の近傍に連結されていることを特徴とする照明器具とした。
【００１４】
請求項５の発明によれば、端子台を取付板に近接配置しているので、これにより電力供給線の長さ寸法が短くて済み、これにより電力供給線にかかるコストを削減することができる。また、脱落防止手段により取付板を端子基台近傍に連結しているから、取付板の着脱作業時に不注意による取付板の脱落を防止することができる。
【００１５】
請求項６の発明では、請求項１乃至５のいずれか１項の発明の構成に加えて、光源ブロックと器具本体との間に、光源ブロックを把持する把持用スペースを設けていることを特徴とする照明器具とした。
【００１６】
請求項６の発明によれば、光源ブロックを把持して取付板の器具本体への取り付けを行えるから、取付作業が容易となり、これにより部品交換を容易に行える。
【００１７】
請求項７の発明では、請求項１乃至６のいずれか１項の発明の構成に加えて、取付板に放熱用のフィンを設けたことを特徴とする照明器具とした。
【００１８】
請求項７の発明によれば、放熱性をさらに向上することができる。
【発明の効果】
【００１９】
本発明の照明器具によれば、光源ブロックで発生した熱が取付板に伝熱されて取付板から放熱されるとともに、取付板に伝熱された光源ブロックの熱が取付部を介して器具本体へ効率良く伝熱されて器具本体からも放熱されるから、放熱性が向上するという効果がある。また、取付板の着脱によって光源ブロックと点灯装置とを器具本体から取り外すことができ、しかも取付板を外すだけで端子台への電源線等の着脱作業及び端子台の着脱作業が行えるようになるから、部品交換を容易に行えるという効果がある。
【発明を実施するための最良の形態】
【００２０】
本発明の照明器具の実施形態について図１〜図７を参照して説明する。
【００２１】
本実施形態の照明器具は、天井面に形成された丸型孔に埋込設置されるダウンライトであり、図１〜図３に示すように、コンクリートスラブ等の建物躯体（図示せず）から垂下された吊りボルト（取付ボルト）Ｂに吊り下げられる器具本体１を備えている。この器具本体１には、光源として発光ダイオード（以下、ＬＥＤという）３０を複数備えたプリント基板３及びＬＥＤ３０からの光が通過されるレンズ体４からなる光源ブロックＬと、光源ブロックＬのＬＥＤ３０を点灯させる点灯装置５と、放熱性を有し下面部（一面部）に光源ブロックＬが取り付けられるとともに上面部（他面部）に点灯装置５が取り付けられる取付板２と、この取付板２の上面側に外部電源の電源線（図示せず）が接続されるとともに点灯装置５の電源線（電力供給線）Ｓ１が接続される端子台８とが収納され、器具本体１の下面側には光源ブロックＬからの光を外方へ出射する開口１ｆが形成されており、この開口１ｆには、レンズ体４を介したＬＥＤ３０の光を下方へ反射する反射面を備えた枠体７が取り付けられている。
【００２２】
器具本体１は、図１及び図２（ａ）に示すように、円筒状の側壁部１ａと、側壁部１ａの上面開口を閉塞する円盤状の天板部１ｂと、側壁部１ａの下端から側方へ突出し天井材Ｃの周部が載置される鍔部１ｃとを一体に備え、側壁部１ａの下面開口が、光源ブロックＬからの光を外方へ出射するための開口１ｆとなっている。天板部１ｂの中央部には、建物躯体から垂下された吊りボルトＢが挿通される吊下孔１ｄが形成されるとともに、吊下孔１ｄの側方には外部電源の電源線（図示せず）が挿通される一対の電源線挿通孔１ｅ，１ｅが形成されている。また、天板部１ｂの下面側には、図２（ａ）に示すように、外部電源の電源線を接続する端子台８が取り付けられる垂下片１０と、取付板２が着脱自在に取り付けられる一対の取付部１１とがそれぞれ取付ねじ１１０，１１１を用いて取着され、鍔部１ｃの下面側には枠体７を取り付ける取付ねじ１０７に対応したねじ孔１２ａが形成された枠体７取付用の取付片１２が鍔部１ｃを周方向に三等分するように固着されている。
【００２３】
垂下片１０は、取付ねじ１１０がそれぞれ螺着される一対のねじ孔（図示せず）を有する横片部１０ａと、端子台８が取り付けられる縦片部１０ｂとを備えてＬ字状に形成され、縦片部１０ｂの先端部には、取付板２の脱落防止手段となる連結具９（図６参照）を取り付ける連結孔１０ｃが形成されている。
【００２４】
取付部１１は、図４（ａ）に示すように、例えば、器具本体１に取り付ける取付ねじ１１１がそれぞれ螺着される一対のねじ孔１１ｄ，１１ｄが形成された取着片１１ａと、取付板２を着脱自在に取り付ける係止部となる係止ねじ１０２（図４（ｂ）参照）を螺着するねじ孔１１ｅが略中央部に形成され取付板２と面接触する接触片１１ｃと、取着片１１ａと接触片１１ｃとを連結し、背面（図４（ａ）における右側面）に熱伝導シート（放熱シート）６１が貼着される連結片１１ｂとを一体に備えて、放熱性を有する金属部材から略コ字状に形成された取付金具である。接触片１１ｃのねじ孔１１ｅには、図４（ｂ）に示すように、係止ねじ１０２が螺着されている。このとき、係止ねじ１０２は、頭部１０２ａと接触片１１ｃとの間の長さ寸法が取付板２の板厚程度となるように突出させてあり、取付板２を取り付けた際に取付板２と接触片１１ｃとが面接触する（つまり、取付板２の上面と接触片１１ｃの下面とが当接する）ようにしてある。また、これら取付部１１，１１を器具本体１の天板部１ｂに取り付けた際には、各取付部１１の係止ねじ１０２が互いに天板部１ｂの中心に対して点対称となるようにしてある。
【００２５】
取付板２は、図５（ａ），（ｂ）に示すように、放熱性を有する部材、例えばアルミニウム等の金属材を用いて円板状に形成され、その板厚が約１０ｍｍに設定されている。この取付板２には、上記の各取付部１１の係止ねじ１０２が挿通可能な係止孔２０，２０が、互いに取付板２の中心Ｏに対して点対称となる位置に形成されている。ここで、係止孔２０は、図５（ａ）に示すように、係止ねじ１０２の頭部１０２ａより大径な大径部２０ａと、頭部１０２ａより小径な小径部２０ｂとを連続させた形状の所謂だるま孔であり、大径部２０ａの中心位置Ｐ１に対して小径部２０ｂの中心位置Ｐ２が取付板２の径方向において外側に位置する、つまり、小径部２０ｂの中心位置Ｐ２が大径部２０ａの中心位置Ｐ１を通る円弧Ｍよりも外方に位置しているのである。したがって、取付板２に形成された一対の係止孔２０，２０は、大径部２０ａの中心間距離Ｐ１−Ｐ１に対して小径部２０ｂの中心間距離Ｐ２−Ｐ２が長くなっている。また、図５（ａ）では省略しているが、取付板２には、レンズ体４を取り付ける取付ねじ１０４，１０４に対応する一対のねじ孔と、点灯装置５を係止する係止ねじ１０５，１０５に対応する一対のねじ孔と、点灯装置５のリード線Ｓ１が挿通される挿通孔２１（図６参照）と、連結具９を取り付ける連結孔２２と、点灯装置５の電源線Ｓ２を結束して張力止めとなる結束具２４が取り付けられる一対の挿通孔２３，２３（図６参照）とを備えている。
【００２６】
光源ブロックＬは、プリント基板３と、レンズ体４とから構成されている。プリント基板３は、配線パターンが形成された円板状のプリント配線板３１に、複数のＬＥＤ３０、本実施形態では図２（ｂ）に示すように、正五角形の各頂点位置及び中心位置に計６個のＬＥＤ３０が実装されて構成されている。レンズ体４は、図３に示すように、透光性を有する部材から薄肉の円柱状に形成されており、上面側には各ＬＥＤ３０に対応した凹部４ｃが形成されたプリント基板３の収納部４ｄを備え、レンズ体４の側周面の上端側には、一対の突片４ａ，４ａが一体に突設されている。この突片４ａには、レンズ体４を取付板２に取り付ける取付ねじ１０４がスペーサー１１４及びパッキン１２４を介して挿通される切欠４ｂが形成されている。ところで、この光源ブロックＬの外形寸法、つまりレンズ体４の外径寸法は取付板２の外径寸法よりも小さく設定してあり、これにより光源ブロックＬを器具本体１に収納した際に、レンズ体４の側周面と器具本体１の側壁部１ａとの間に光源ブロックＬを把持する把持用スペースＦを設けている。
【００２７】
点灯装置５は、図６に示すように、プリント基板３の各ＬＥＤ３０の点灯制御を行う点灯回路ブロックを直方体状の筐体５０に収納して構成され、この筐体５０の長手方向一端側からは、プリント基板３と電気的に接続されるリード線Ｓ１と、端子台８に電気的に接続されて外部電源からの電力供給を受けるための器具内電線である電源線Ｓ２とが導出されている。また筐体５０の短手方向の両側部には突片５０ａ，５０ａが互いに短手方向において重複しないように突設され、各突片５０ａには係止孔５１が形成され、係止孔５１は、係止ねじ１０５の頭部１０５ａより大径な大径部と、頭部１０５ａより小径な小径部とが連続した形状の所謂だるま孔となっている。
【００２８】
枠体７は、図１及び図２（ｂ）に示すように、上端から下端へいくにつれて拡径となる円筒状の側壁部７ａと、側壁部７ａの下端から側方へ突出し取付ねじ１０７が挿通される挿通孔７ｃを備えて器具本体１の鍔部１ｃと重複する環状のフランジ部７ｂとを一体に備え、側壁部７ａの内周面が、側壁部７ａの上端開口から入射された光源ブロックＬからの光を下方へ反射する反射面となっている。
【００２９】
端子台８は、図６に示すように、外部電源の電源線（図示せず）が接続される端子部と、点灯装置５の電源線Ｓ２が接続される端子部とを備えており、外部電源の電源線と点灯装置５の電源線Ｓ２とを電気的に接続するものである。尚、端子台８は、実際は図６に示す位置には存在しないものであるが、説明の簡略化のために図６ではあえて端子台８を図示している。
【００３０】
連結具９は、図６に示すように、ワンタッチで取付可能なスプリングフック等の連結部９０ａ，９０ｂを紐部９１の両端に設けて構成され、取付板２の器具本体１からの脱落を防止する脱落防止手段となるものである。また、紐部９１の長さ寸法は、電源線Ｓ２の長さ寸法より小さく設定してあり、これにより図６に示すように取付板２を器具本体１から取り外した状態で、電源線Ｓ２に荷重がかからないようになり、電源線Ｓ２の断線等を防止することができる。
【００３１】
以上の構成部材により本実施形態の照明器具は構成されており、本実施形態の照明器具において各構成部材は次のようにして取り付けられている。
【００３２】
器具本体１には、垂下片１０と、一対の取付部１１と、３つの取付片１２とが取り付けられている。垂下片１０は、横片部１０ａの上面を器具本体１の天板部１ｂの下面に当接させ、縦片部１０ｂを側壁部１ａに近接させるとともに、横片部１０ａの一対のねじ孔（図示せず）に天板部１ｂを挿通させた取付ねじ１１０，１１０をそれぞれ螺入することで器具本体１に取り付けられている。取付部１１は、取着片１１ａの上面を器具本体１の天板部１ｂの下面に当接させるとともに連結片１１ｂに貼着した熱伝導シート６１を側壁部１ａに接触させ、天板部１ｂを挿通させた取付ねじ１１１，１１１を一対のねじ孔１１ｄ，１１ｄにそれぞれ螺入して器具本体１に取り付けられている。このようにして器具本体１に取り付けられた取付部１１，１１は、図２（ａ）に示すように、天板部１ｂの中心に対して互いに点対称となっている。取付片１２は、上述したように、器具本体１の鍔部１ｃの下面側に、鍔部１ｃを周方向に三等分するように固着されている。
【００３３】
器具本体１には、プリント基板３及びレンズ体４からなる光源ブロックＬと点灯装置５と熱伝導シート６０とが取り付けられた取付板２と、端子台８と、連結具９とが次のようにして収納されている。
【００３４】
端子台８は、器具本体１に取り付けられた垂下片１０の縦片部１０ｂの先端側（下端側）に取付ねじ１０８を用いて取り付けられている。
【００３５】
光源ブロックＬは、プリント基板３とレンズ体４とで構成されており、図３に示すように、ＬＥＤ３０が実装された面を下方に向けたプリント基板３を取付板２の下面部に熱伝導シート６０を介して接触させるとともに、ＬＥＤ３０を凹部４ｃにそれぞれ対応させてプリント基板３を収納部４ｄに収納するレンズ体４を取付板２の下面部に配置し、レンズ体４の各突片４ａの切欠４ｂにスペーサー１１４とパッキン１２４とを介して取付ねじ１０４を挿通させ、取付ねじ１０４をこの取付ねじ１０４に対応して取付板２に形成された一対のねじ孔（図示せず）に螺着することで、取付板２に取り付けられている。
【００３６】
点灯装置５は、図６に示すように、取付板２の上面部に突設された一対の係止ねじ１０５の頭部１０５ａをそれぞれ筐体５０の突片５０ａに開口した係止孔５１の大径部に挿通させた後に、点灯装置５を取付板２の上面に沿ってスライドさせて係止ねじ１０５を大径部から小径部へ移動させることで取付板２に取り付けられている。そして、この点灯装置５の筐体５０から導出されたリード線Ｓ１は、取付板２の挿通孔２１を介してプリント基板３に電気的に接続され、筐体５０から導出された電源線Ｓ２は、一対の挿通孔２３，２３を通る結束具２４により取付板２に結束されるとともに、端子台８の端子部に電気的に接続されている。このとき、端子台８は、垂下片１０の下端側に位置させることで取付板２に近接配置してあり、これにより電源線Ｓ２の長さ寸法が短くて済むようになるので、電源線Ｓ２にかかるコストを削減することができる。
【００３７】
このようにして光源ブロックＬと点灯装置５とが取り付けられた取付板２は、器具本体１の一対の取付部１１，１１に着脱自在に取り付けられることになるが、この取り付けは次のようにして行われる。まず、各取付部１１の係止ねじ１０２の頭部１０２ａを上方から取付板２の係止孔２０の大径部２０ａにそれぞれ挿通させ、この後に取付板２の中心軸を回転軸として取付板２を回転させて（図２（ｂ）では反時計方向）、係止ねじ１０２を小径部２０ｂへ移動させるのである。そうすると、頭部１０２ａより小径な小径部２０ｂによって係止ねじ１０２が係止孔２０から抜けなくなり、これにより取付板２を取付部１１，１１に容易に取り付けることができる。また、上述したように光源ブロックＬの側周面と器具本体１の側壁部１ａとの間に光源ブロックＬの把持用スペースＦを設けているから、光源ブロックＬのレンズ体４をその側周面で把持することによって取付板２の着脱作業を行え、これにより取付板２の着脱作業を非常に容易に行うことができるのである。
【００３８】
また、係止孔２０は、上述したように、大径部２０ａの中心位置Ｐ１に対して小径部２０ｂの中心位置Ｐ２が取付板２の径方向において外側に位置するように形成されているので、係止ねじ１０２を小径部２０ｂに移動させた際に係止ねじ１０２が外方、つまり側壁部１ａに近接する方へ誘導され、これに伴なって取付部１１の連結片１１ｂが側壁部１ａにさらに接近することになるから、連結片１１ｂと側壁部１ａとが熱伝導シート６１を介してより密に接触し、これにより取付部１１と器具本体１との間の伝熱性が向上する。
【００３９】
一方、取付板２を取り外す際には、取付板２の中心軸を回転軸として取付板２を回転させて（図２（ｂ）では時計方向）、係止ねじ１０２を小径部２０ｂから大径部２０ａに移動させればよい。
【００４０】
連結具９は、一方の連結部９０ａが保持片１０に連結孔１０ｃを用いて取着されるとともに、他方の連結部９０ｂが取付板２に連結孔２２を用いて取着され、これにより取付板２と器具本体１とが紐部９１で繋がれ、取付板２を器具本体１から外した際に、不注意による取付板２の脱落等を防止することができ、また上述したように紐部９１の長さ寸法を電源線Ｓ２の長さ寸法より小さく設定していることによって、連結具９で取付板２を器具本体１に吊り下げた際に、電源線Ｓ２に取付板２（取付板２に取り付けられた光源ブロックＬや点灯装置５を含む）の荷重がかからなくなり、電源線Ｓ２の断線等を防止することができる。
【００４１】
上記のようにしてプリント基板３及びレンズ体４からなる光源ブロックＬと点灯装置５とが取り付けられた取付板２と、端子台８と、連結具９とが収納された器具本体１には、枠体７が取り付けられている。枠体７の器具本体１への取り付けは、側壁部７ａを器具本体１内に挿し入れるとともに、フランジ部７ｂを鍔部１ｃに重複させ、フランジ部７ｂの各挿通孔７ｃを挿通させた取付ねじ１０７を鍔部１ｃに設けられた取付片１２のねじ孔１２ａにそれぞれ螺着することで行われている。
【００４２】
以上により本実施形態の照明器具は組み立てられており、この照明器具の天井への埋め込み設置は、次のようにして行う。まず、枠体７及び取付板２を外しておき（取付板２は取付部１１，１１から外しておけば十分であり、連結具９まで外す必要はない）、図１に示すように、吊りボルトＢを天板部１ｂの吊下孔１ｄに挿通させ、吊りボルトＢに器具本体１を支持する支持ナットＮを螺着して器具本体１を吊りボルトＢに吊り下げる。次に、外部電源の電源線（図示せず）を器具本体１の電源線挿通孔１ｅを介して端子台８に電気的に接続し、この後に取付板２及び枠体７を取り付け、鍔部１ｃに天井材Ｃの周部を載置することで照明器具が天井に埋め込み設置される。
【００４３】
したがって、本実施形態の照明器具によれば、放熱性を有する取付板２にＬＥＤ３０が実装されたプリント基板３を取り付けているので、光源ブロックＬで発生した熱を取付板２から放熱でき、また熱伝導シート６１を取付板２と光源ブロックＬとの間に介在させているので、光源ブロックＬと取付板２との間の伝熱性を向上することができる。加えて、放熱性を有する取付部１１を用いて取付板２を器具本体１に取り付けているので、取付部１１からも放熱を行えるとともに、取付部１１を介して取付板２から器具本体１に光源ブロックＬの熱を効率良く伝熱して、器具本体１から放熱することができるので、さらに放熱性を向上することができる。しかも、取付部１１を熱伝導シート６０により器具本体１の側壁部１ａと接触させているので、さらに放熱性が向上する。そのため、器具本体１をアルミダイカスト等の放熱性の良い部材から形成した専用本体としなくても十分な放熱性を得ることができ、結果として器具本体１を低コストで作製することができるようになる。
【００４４】
また、器具本体１の取付部１１，１１に着脱自在に取り付けられる取付板２に光源ブロックＬとその点灯装置５とを取り付けているので、取付板２の着脱によって、光源ブロックＬ及び点灯装置５と器具本体１との着脱を行うことができ、しかも取付板２を器具本体１から取り外せば、端子台８への電源線等の着脱作業及び端子台８自体の着脱作業が行えるようになるから、メンテナンス性が向上し、部品交換も容易に行うことができる。加えて、点灯装置５を取付板２に取り付けていることによって、器具本体の上面側に点灯装置を配置収納しているものに比べて、上面側の収納スペースを小さくして器具本体を小型化することができ、また施工時には、端子台８に電源線等を接続する結線作業のための作業用スペースを広くとることができるから、施工性を向上できる。
【００４５】
ところで、本実施形態において取付板２は、図７（ａ）に示すように、単に円板状のものを用いているが、図７（ｂ）に示すように、光源ブロックＬの周囲に放熱用のフィン２５を複数立設することとしてもよく、このように放熱用のフィン２５を複数設けることによって放熱性のさらなる向上を図ることができる。しかも、フィン２５に十分な強度を持たせておけば、このフィン２５を光源ブロックＬの代わりに取付板２の把持部として利用することができるようになり、取付板２の着脱作業をさらに容易に行えるようになる。尚、図７（ａ），（ｂ）ではレンズ体４を簡略化して示している。
【図面の簡単な説明】
【００４６】
【図１】本発明の一実施形態の照明器具を示す概略断面図である。
【図２】（ａ）は、同上の照明器具の上面側から見た透視図であり、（ｂ）は、同上の一部を切り欠いた照明器具の下面側から見た透視図である。
【図３】同上の照明器具の要部の分解側面図である。
【図４】（ａ）は、取付部を上方から見た斜視図であり、（ｂ）は、取付部を下方から見た斜視図である。
【図５】（ａ）は、取付板の一部を省略した上面図であり、（ｂ）は、取付板の側面図である。
【図６】同上の照明器具の取付板を外した状態を示す概略断面図である。
【図７】（ａ）は、光源ブロックが取り付けられた取付板の斜視図であり、（ｂ）は、光源ブロックが取り付けられた他の取付板の斜視図である。
【符号の説明】
【００４７】
１    器具本体
１ｆ  開口
２    取付板
５    点灯装置
７    枠体
１１    取付部
Ｌ    光源ブロック
Ｓ２    電源線
【図１】
2006172895.tif 000003
【図２】
2006172895.tif 000004
【図３】
2006172895.tif 000005
【図４】
2006172895.tif 000006
【図５】
2006172895.tif 000007
【図６】
2006172895.tif 000008
【図７】
2006172895.tif 000009